(57)【特許請求の範囲】
【請求項１】
難燃紙(11)とアルミニウム箔(12)とが積層されたシートからなるシステムキッチン用のガスレンジ機器台を覆うカバーであって、
前記カバーは、略矩形状の底面部(21)、当該底面部(21)の各辺に谷折れの折曲線(T1)を介して連設される側面部(22)、当該側面部(22)に山折れの折曲線(T2)を介して外方に連設される鍔部(23)、および前記各側面部(22)の間に位置し当該側面部(22)並びに前記底面部(21)に折曲線(T3,T4) を介して連設されるコーナー部(24)からなり、
前記底面部(21)に前記ガスレンジ機器台の火口位置に対応する部分を抜き取って開口部(25)を設け、
前記コーナー部(24)は、底面部(21)の各角を面取りして形成した谷折れの折曲線(T3)を介して連設されるコーナー側面部(28)、当該コーナー側面部(28)に山折れの折曲線(T5)を介して連設されると共に前記側面部(22)に谷折れの折曲線(T4)を介して連設される三角形状を呈するコーナー合わせ調整部(29)、および前記コーナー側面部(28)に山折れの折曲線(T6)を介して外方に連設されると共に前記鍔部(23)並びに前記コーナー合わせ調整部(29)との境界に切れ目(C) を形成してこれらと分離されたコーナー鍔部(30)からなることを特徴とするシステムキッチン用ガスレンジ機器台カバー。
【請求項２】
前記開口部(25)の内縁に沿って円周方向等間隔に複数の放射状の切れ目(26)を形成すると共に当該開口部(25)の内縁回りに同心円状の谷折れの折曲線(T8)を形成してなる請求項１に記載のシステムキッチン用ガスレンジ機器台カバー。
【請求項３】
前記コーナー鍔部(30)は、前記コーナー側面部(28)に連設される本体部(31)と、当該本体部(31)の外方両側に山折れの折曲線(T7)を介して連設されると共に当該折曲線(T7)で折り曲げた場合に前記本体部(31)との間で前記鍔部(23)を挟み込んで保持する保持部(32)とからなる請求項１又は２に記載のシステムキッチン用ガスレンジ機器台カバー。
【請求項４】
難燃紙(11)とアルミニウム箔(12)とが積層されたシートからなるシステムキッチン用の電気レンジ機器台を覆うカバーであって、
前記カバーは、略矩形状の底面部(51)、当該底面部(51)の各辺に谷折れの折曲線(T1)を介して連設される側面部(22)、当該側面部(22)に山折れの折曲線(T2)を介して外方に連設される鍔部(23)、および前記各側面部(22)の間に位置し当該側面部(22)並びに前記底面部(51)に折曲線(T3,T4) を介して連設されるコーナー部(24)からなり、
前記底面部(51)に前記電気レンジ機器台の火口位置および点火確認口位置に対応する部分を抜き取って開口部(52)を設け、
前記コーナー部(24)は、底面部(51)の各角を面取りして形成した谷折れの折曲線(T3)を介して連設されるコーナー側面部(28)、当該コーナー側面部(28)に山折れの折曲線(T5)を介して連設されると共に前記側面部(22)に谷折れの折曲線(T4)を介して連設される三角形状を呈するコーナー合わせ調整部(29)、および前記コーナー側面部(28)に山折れの折曲線(T6)を介して外方に連設されると共に前記鍔部(23)並びに前記コーナー合わせ調整部(29)との境界に切れ目(C) を形成してこれらと分離されたコーナー鍔部(30)からなることを特徴とするシステムキッチン用電気レンジ機器台カバー。
【請求項５】
前記コーナー鍔部(30)は、前記コーナー側面部(28)に連設される本体部(31)と、当該本体部(31)の外方両側に山折れの折曲線(T7)を介して連設されると共に当該折曲線(T7)で折り曲げた場合に前記本体部(31)との間で前記鍔部(23)を挟み込んで保持する保持部(32)とからなる請求項４に記載のシステムキッチン用電気レンジ機器台カバー。
【発明の詳細な説明】
【０００１】
【発明の属する技術分野】
本発明は、システムキッチン用レンジの機器台上の汚れを防止するためのカバーの改良に関し、特に、難燃紙とアルミニウム箔とが積層された複合シートを利用したものに関する。
【０００２】
【従来の技術】
従来より、例えばシステムキッチン用ガスレンジの機器台上の油や吹きこぼれなどによる汚れを防止するため、ガスレンジの機器台上を覆うカバーとしてアルミニウム箔を押圧成形すると共に、ガスレンジの火口位置に対応する部分を抜き取りにより開口した形状のものが使用されている。
【０００３】
このカバーは、ガスレンジの複数の各火口位置に応じて別々に取り付ける個別タイプのものと、ガスレンジの各火口位置に対応する部分のみを抜き取って押圧成形した１枚タイプのものとがある。
【０００４】
【発明が解決しようとする課題】
ところで、これらのカバーのうち個別タイプのものは、形状的に小さく持ち運びに便利であるが、いわゆるシステムキッチンのガスレンジのように機器台上に火口が３ないし４個備わっているものの場合には、各火口位置ごとにセットするのが煩わしく、また、それぞれのカバー同士の間から煮汁などが漏れたりする虞れもあり、ガスレンジの機器台上の全面を覆う１枚タイプのカバーの方が好ましいと言える。ところが、アルミニウム箔を押圧成形した１枚タイプのものにあっては、当然ながら形状的に大きくなり商品としても嵩張るために持ち運びが不便であり、しかも形状を保持するために比較的厚いアルミニウム箔を使用しているので、製品コストが高いだけでなく使用後の廃棄量が多くなり、また、形状が大きいために廃棄すること自体が面倒であるという欠点がある。さらに、アルミニウム箔のみからなるので、しわの発生により美観を損ない易く、汚れた場合の拭き取りもしづらい。
【０００５】
これに対し、近年、難燃紙とアルミニウム箔とが積層された複合シートからなるカバーが利用されてきており、実開平２−２５０５６号公報には個別タイプのものが、実開平５−４１２８２号公報には１枚タイプのものが開示されている。このような複合シートからなるカバーによれば、アルミニウム箔の押圧成形品のように表面にしわが発生し易いということもなく外観上美麗となる。また特に、複合シートを利用したシステムキッチン用の１枚タイプのものでは、アルミニウム箔の押圧成形品に比べてきわめて軽量であり、成形品ではないので巻いて保存・運搬することも可能となっている。
【０００６】
しかしながら、実開平５−４１２８２号公報に記載された１枚タイプのカバーは、図１０に示すように、難燃紙とアルミニウム箔とが積層された複合シートをガスレンジの機器台上を覆うように方形に形成し、ガス火口位置に対応する部分に開口部を設けるためのミシン目Ｍ1 、および周縁を立ち上らせるために角を二等分するミシン目Ｍ2 を形成したものであって、使用時には、当該ミシン目Ｍ1 ，Ｍ2 に沿って切り取りまたは切れ目を入れ、周縁を立ち上らせて受け皿形状に組み立てるものであって、なお次のような欠点を有している。
【０００７】
すなわち、周縁のコーナー部は、ミシン目に沿って切断された隣り合う２つの側面を重ね合わせて形成するものであるから、油や吹きこぼれの煮汁などが、重ね合わされた隙間から漏れたり滲み出たりする虞れがある。また、このような問題は、システムキッチン用ガスレンジだけでなく電気レンジに関しても同様に存在する。さらにガスレンジの場合にあっては、ガス火口位置に対応する部分の開口部からも煮汁などが下方に漏れる虞れがあるため、ガスレンジ機器台の汚れ防止として十分に機能を果たし得ないという問題があった。
【０００８】
本発明は、このような従来技術の問題点に鑑みてなされたものであり、本発明の目的は、システムキッチン用レンジ機器台上の汚れを確実に防止し得ると共に、取扱いやすくしかも低廉なシステムキッチン用レンジ機器台カバーを提供することにある。
【０００９】
【課題を解決するための手段】
上記目的を達成するための本発明は、請求項毎に次のように特定される。
請求項１に記載の発明は、難燃紙とアルミニウム箔とが積層されたシートからなるシステムキッチン用のガスレンジ機器台を覆うカバーであって、前記カバーは、略矩形状の底面部、当該底面部の各辺に谷折れの折曲線を介して連設される側面部、当該側面部に山折れの折曲線を介して外方に連設される鍔部、および前記各側面部の間に位置し当該側面部並びに前記底面部に折曲線を介して連設されるコーナー部からなり、前記底面部に前記ガスレンジ機器台の火口位置に対応する部分を抜き取って開口部を設け、前記コーナー部は、底面部の各角を面取りして形成した谷折れの折曲線を介して連設されるコーナー側面部、当該コーナー側面部に山折れの折曲線を介して連設されると共に前記側面部に谷折れの折曲線を介して連設される三角形状を呈するコーナー合わせ調整部、および前記コーナー側面部に山折れの折曲線を介して外方に連設されると共に前記鍔部並びに前記コーナー合わせ調整部との境界に切れ目を形成してこれらと分離されたコーナー鍔部からなることを特徴とするシステムキッチン用ガスレンジ機器台カバーである。この機器台カバーを使用する場合にあっては、山折れと谷折れとに留意しながら折曲線に沿って折り曲げることにより組み立てることができ、ガスレンジの機器台上面に載置するだけで手間がかからず簡単にセットできる。
【００１０】
請求項２に記載の発明は、上記請求項１に記載のシステムキッチン用ガスレンジ機器台カバーにおいて、前記開口部の内縁に沿って円周方向等間隔に複数の放射状の切れ目を形成すると共に当該開口部の内縁回りに同心円状の谷折れの折曲線を形成してなることを特徴とする。
【００１１】
請求項３に記載の発明のは、上記請求項１又は２に記載のシステムキッチン用ガスレンジ機器台カバーにおいて、前記コーナー鍔部は、前記コーナー側面部に連設される本体部と、当該本体部の外方両側に山折れの折曲線を介して連設されると共に当該折曲線で折り曲げた場合に前記本体部との間で前記鍔部を挟み込んで保持する保持部とからなることを特徴とする。
【００１２】
請求項４に記載の発明は、難燃紙とアルミニウム箔とが積層されたシートからなるシステムキッチン用の電気レンジ機器台を覆うカバーであって、前記カバーは、略矩形状の底面部、当該底面部の各辺に谷折れの折曲線を介して連設される側面部、当該側面部に山折れの折曲線を介して外方に連設される鍔部、および前記各側面部の間に位置し当該側面部並びに前記底面部に折曲線を介して連設されるコーナー部からなり、前記底面部に前記電気レンジ機器台の火口位置および点火確認口位置に対応する部分を抜き取って開口部を設け、前記コーナー部は、底面部の各角を面取りして形成した谷折れの折曲線を介して連設されるコーナー側面部、当該コーナー側面部に山折れの折曲線を介して連設されると共に前記側面部に谷折れの折曲線を介して連設される三角形状を呈するコーナー合わせ調整部、および前記コーナー側面部に山折れの折曲線を介して外方に連設されると共に前記鍔部並びに前記コーナー合わせ調整部との境界に切れ目を形成してこれらと分離されたコーナー鍔部からなることを特徴とするシステムキッチン用電気レンジ機器台カバーである。
【００１３】
請求項５に記載の発明の構成は、上記請求項４に記載のシステムキッチン用電気レンジ機器台カバーにおいて、前記コーナー鍔部は、前記コーナー側面部に連設される本体部と、当該本体部の外方両側に山折れの折曲線を介して連設されると共に当該折曲線で折り曲げた場合に前記本体部との間で前記鍔部を挟み込んで保持する保持部とからなることを特徴とする。
【００１４】
【発明の実施の形態】
以下、本発明の実施の形態を図面を参照して説明する。
図１は、本発明の実施の形態に係るシステムキッチン用ガスレンジ機器台カバーの平面図、図２は、図１に示されるカバーの拡大断面図、図３は、図１に示されるコーナー部周辺の拡大図、図４は、コーナー部の組み立て方を説明する斜視図、図５は、図１に示されるカバーを組み立てた状態の斜視図、図６は、図３に示されるＡ−Ａ線に沿う断面図、図７は、図１に示されるカバーの使用状態を説明する斜視図である。
【００１５】
図１に示す本実施の形態に係るシステムキッチン用ガスレンジ機器台カバー１０は、図２に示したように、難燃紙１１の両面にアルミニウム箔１２（約７〜３０μｍ）を接着剤層１３を介して積層し接合させたシートから構成される。なお、難燃紙１１の片面にのみアルミニウム箔１２を接着剤層１３を介して接合させたシートから構成することも可能である。また、本明細書中においては、アルミニウム箔にはアルミニウム合金箔が含まれ、難燃紙には不燃紙が含まれる概念として使用する。
【００１６】
この機器台カバー１０は、図１に示したように、ガスレンジ機器台の上面全体を覆う形状となっており、略矩形状の底面部２１、底面部２１の各辺に谷折れの折曲線Ｔ1 を介して連設される４つの側面部２２、それぞれの側面部２２に山折れの折曲線Ｔ2 を介して外方に連設される鍔部２３、および各側面部２２の間に位置し側面部２２および底面部２１に折曲線Ｔ3 ，Ｔ4 を介して連設されるコーナー部２４から構成される。
【００１７】
底面部２１は、ガスレンジ１の機器台上面に形成される凹部２（図７参照）にはまり込むような大きさにほぼ設定されており、ガスレンジ１の火口３（図７参照）位置に対応する部分を抜き取って開口部２５が設けられる。本実施の形態ではガスの火口が３個のシステムキッチン用のものを示したが、例えば火口が４個の場合などその他仕様に応じて製作することが可能である。
【００１８】
また、前記開口部２５の内縁に沿って円周方向等間隔に複数の放射状の切れ目２６が形成されると共に、当該開口部２５の内縁回りに同心円状の谷折れの折曲線Ｔ8 が形成されている。なお、折曲線Ｔ8 は二重あるいは三重などと複数設けてもよい。このようにして結果的に、開口部２５の内縁に沿って複数の舌片状のフラップ２７が形成される。
【００１９】
コーナー部２４は、図３にも拡大して示したように、底面部２１の各角を面取りして形成した谷折れの折曲線Ｔ3 を介して連設されるコーナー側面部２８、コーナー側面部２８に山折れの折曲線Ｔ5 を介して連設されると共に側面部２２に谷折れの折曲線Ｔ4 を介して連設される三角形状を呈するコーナー合わせ調整部２９、およびコーナー側面部２８に山折れの折曲線Ｔ6 を介して外方に連設されると共に鍔部２３並びにコーナー合わせ調整部２９との境界に切れ目Ｃを形成してこれらと分離されたコーナー鍔部３０から構成される。このように、切れ目Ｃは側面部より内方に切り込まないように形成されているので、油や煮汁などが切れ目Ｃから漏れ出ることのないよう配慮されている。
【００２０】
さらに、コーナー鍔部３０は、コーナー側面部２８に連設される本体部３１と、本体部３１の外方両側に山折れの折曲線Ｔ7 を介して連設されると共に当該折曲線Ｔ7 で折り曲げた場合に前記本体部３１との間で前記鍔部２３を挟み込んで保持する保持部３２とから構成される。なお、理解の容易のため、図面中における折曲線は、例えば図１の平面図において山折れのものを細い一点鎖線で、谷折れのものを細い実線で示してある。
【００２１】
このように、本実施の形態の機器台カバー１０は、高価な金型を使用して製作されるアルミニウム箔の押圧成形品とは異なり、難燃紙とアルミニウム箔とが積層されたシートを利用して打ち抜きと押圧による折曲線の形成のみで製作できるので、製品コストの低減が図られる。
【００２２】
本実施の形態の機器台カバー１０を使用するにあたって組み立てる場合には、山折れと谷折れとに留意しながら図１および図２に示した折曲線に沿って、折り曲げて組み立てる。コーナー部２４に関する折り曲げを行う場合には、図４に示したように、側面部２２およびコーナー側面部２８を鉛直方向に起こしながら、コーナー合わせ調整部２９がコーナー側面部２８の外側に位置するような形で折り畳むようにして折り曲げる。次いで、鍔部２３が水平になるように折り曲げると共に、コーナー鍔部３０の本体部３１を図４に示す矢印方向に折り曲げて鍔部２３と同じように水平にする。そして、コーナー鍔部３０の保持部３２を、この保持部３２と前記本体部３１とで前記鍔部２３を挟み込むようにして折り曲げる。これにより、側面部２２およびコーナー側面部２８がしっかりと接続固定されるため、図５および図６に示したような鍔付きの受け皿形状に組み立てられて形がくずれることがない利点がある。また、鍔部２３およびコーナー鍔部３０の形成により、カバー組み立て後の剛性が高まる。最後に開口部２５の内縁に沿って形成された複数のフラップ２７をほぼ鉛直方向に折り曲げれば、機器台カバー１０の組み立てが完了する。なお、機器台カバー１０の折り曲げの順序は、必ずしも上記の通りでなくてもよく、適宜変更することが可能である。
【００２３】
このように組み立てられた本実施の形態の機器台カバー１０を使用する場合にあっては、図７に示したように、機器台カバー１０を、その開口部２５の位置をガスレンジ１の火口３に合わせつつ、ガスレンジ１の機器台上面に形成される凹部２にはまり込むようにして載置するだけでよいので、手間がかからず簡単にセットできる。この後、図示しない五徳をその外縁部が機器台カバー１０の鍔部２３の上面にくるようにして載置すればガスレンジの使用準備が整う。
【００２４】
このように、本実施の形態の機器台カバー１０によれば、側面部２２とコーナー側面部２８との間に切れ目などがないので、従来のようにコーナー部から油や煮汁などが漏れ出る虞れがなくなると共に、鍔部２３およびコーナー鍔部３０の形成により、側面部２２およびコーナー側面部２８とガスレンジ１の凹部２との間に料理材料のカスや汁などが入り込むのを防止できる。また、開口部２５の内縁に沿ってほぼ鉛直方向に折り曲げられた複数のフラップ２７を形成できるので、ガス火口位置に対応する部分の開口部２５からの煮汁などの漏れも防止することができる。したがって、システムキッチン用ガスレンジ機器台上の汚れを確実に防止し、ガスレンジ全体を汚損することなく、常に清潔で美麗に保つことができ、洗浄の手間が省かれると共に、ガスレンジとしての耐久性も向上する。
【００２５】
しかも、使用中においてアルミニウム箔の光沢により美麗を損なわず、しわが発生したりすることもないので煮汁などがこぼれても一拭きで簡単に除去することもでき、衛生上の点からも好ましい。
【００２６】
さらに、従来のように比較的厚いアルミニウム箔を押圧成形したものとは異なり、難燃紙とアルミニウム箔とが積層されたシートを利用しているので、折り畳んだり巻いたりして容易に持ち運びや保存ができると共に使用後は折り畳んで容易に廃棄できるので取扱いがきわめて簡単となり、また、廃棄物の減量化も図ることができる。
【００２７】
図８は、本発明の他の実施の形態に係るシステムキッチン用電気レンジ機器台カバー５０の平面図、図９は、図８に示されるカバーの使用状態を説明する斜視図である。図１および図７に示した部材と共通する部材には同一の符号を付し、その説明は一部省略する。
【００２８】
この実施の形態に係る機器台カバー５０は、図９に示したようなシステムキッチン用の電気レンジ５に使用される。一般に、電気レンジ５の機器台の上面は平滑な樹脂板６で覆われており、この樹脂板６の下方に例えば３個の火口７が配設されている。電源を投入すると当該火口７の部分が赤く熱せられ、点火しているかどうかの確認のための点火確認口８が各火口７に対応してそれぞれ樹脂板６の下方に設けられている。
【００２９】
図８および図９に示したように、この機器台カバー５０の底面部５１には、電気レンジ５の火口７位置および点火確認口８位置に対応する部分を抜き取って開口部２５が設けられる。また、側面部２２の高さ寸法は、適宜設定することが可能であり、煮汁などが外部に漏れない程度に小さく設定してもよい。この実施の形態に係る機器台カバー５０によれば、システムキッチン用の電気レンジの機器台上に載置して使用されるのに好ましく、上記の実施の形態と同様な効果を奏することができる。
【００３０】
なお、以上説明した実施の形態は、本発明の理解を容易にするために記載されたものであって、本発明を限定するために記載されたものではなく、したがって、上記実施の形態に開示された各要素は、本発明の技術的範囲に属する全ての設計変更や均等物をも含む趣旨である。
【００３１】
【発明の効果】
以上述べたように本発明によれば、請求項毎に次のような効果を奏する。
請求項１および請求項４に記載の発明では、機器台カバーには側面部とコーナー側面部との間に切れ目などがないので、コーナー部から油や煮汁などが漏れ出る虞れがなくなる。また、鍔部およびコーナー鍔部の形成により、側面部およびコーナー側面部とレンジの機器台との間に料理材料のカスや汁などが入り込みにくくなる。したがって、システムキッチン用レンジ機器台上の汚れを確実に防止し、レンジ全体を汚損することなく、常に清潔で美麗に保つことができ、洗浄の手間が省かれると共に、レンジとしての耐久性も向上する。
【００３２】
しかも、使用中においてアルミニウム箔の光沢により美麗を損なわず、しわが発生したりすることもないので煮汁などがこぼれても一拭きで簡単に除去することもでき、衛生上の点からも好ましい。
【００３３】
さらに、比較的厚いアルミニウム箔を押圧成形したものではなく、難燃紙とアルミニウム箔とが積層されたシートを利用しているので、打ち抜きと押圧による折曲線の形成のみで製作でき製品コストの低減が図られる。しかも、折り畳んだり巻いたりして容易に持ち運びや保存ができると共に使用後は折り畳んで容易に廃棄できるため取扱いがきわめて簡単となり、また廃棄物の減量化も図ることができる。
【００３４】
請求項２に記載の発明では、複数の放射状の切れ目により開口部の内縁回りに形成された折曲線に沿ってほぼ鉛直方向に折り曲げられた複数のフラップを形成できるので、ガス火口位置に対応する部分の開口部からの煮汁などの漏れも防止することができる。
【００３５】
請求項３および請求項５に記載の発明では、コーナー鍔部の保持部を、この保持部と本体部とで鍔部を挟み込むようにして折り曲げることにより、側面部およびコーナー側面部がしっかりと接続固定できる。このため、鍔付きの受け皿形状に組み立てられて形がくずれることがない。
【図面の簡単な説明】
【図１】  本発明の実施の形態に係るシステムキッチン用ガスレンジ機器台カバーの平面図である。
【図２】  図１に示されるカバーの拡大断面図である。
【図３】  図１に示されるコーナー部周辺の拡大図である。
【図４】  コーナー部の組み立て方を説明する斜視図である。
【図５】  図１に示されるカバーを組み立てた状態の斜視図である。
【図６】  図３に示されるＡ−Ａ線に沿う断面図である。
【図７】  図１に示されるカバーの使用状態を説明する斜視図である。
【図８】  本発明の他の実施の形態に係るシステムキッチン用電気レンジ機器台カバーの平面図である。
【図９】  図８に示されるカバーの使用状態を説明する斜視図である。
【図１０】  従来のシステムキッチン用ガスレンジ機器台カバーの平面図である。
【符号の説明】
１０，５０…機器台カバー、  １１…難燃紙、
１２…アルミニウム箔、      ２１，５１…底面部、
２２…側面部、              ２３…鍔部、
２４…コーナー部、          ２５，５２…開口部、
２８…コーナー側面部、
２９…コーナー合わせ調整部、
３０…コーナー鍔部、        ２６…切れ目、
３１…本体部、              ３２…保持部、
Ｃ…切れ目、                Ｔ1 〜Ｔ8 …折曲線。
【図１】
0003679160.tif 000002
【図２】
0003679160.tif 000003
【図３】
0003679160.tif 000004
【図４】
0003679160.tif 000005
【図５】
0003679160.tif 000006
【図６】
0003679160.tif 000007
【図７】
0003679160.tif 000008
【図８】
0003679160.tif 000009
【図９】
0003679160.tif 000010
【図１０】
0003679160.tif 000011